(57)【要約】【課題】  扉への装着が極めて容易であるサムターンを提供する。【解決手段】  振れ止めライナー１を、複数の取付ねじ１２、１２により、扉４の内面に呼び付けるように固定し、この振れ止めライナー１の室内側に突出する部分に、これを覆うことができるカップ状で、複数の分割支持片よりなる支持筒を形成したサムターン座１４を被せ、各分割支持片の自由端内側に係止爪１８を形成し、一方、上記支持筒の内筒部に、摘み１９を一体的に結合したサムターン軸２１を挿入して係止爪１８、１８によって抜け止めを施し、他方、振れ止めライナーの大径部外周面、及び、振れ止めライナーに接合するサムターン座環堤部の内周面の何れか一方の複数箇所に係合凹部１１を、他方に係合凸部２３を夫々形成する。【選択図】  図１
2006009306.tif 000002
【特許請求の範囲】
【請求項１】
扉内面に開口したサムターン開口を挿通できる小径部を有する段付の厚肉円盤状で、中心軸に沿って連絡孔を開口させた振れ止めライナーと、この振れ止めライナー及び錠箱を厚さ方向に貫通し、先端をシリンダブロックに螺合させることにより、振れ止めライナーを扉内面に呼び付けるように固定する複数の取付ねじと、扉内面に突出する振れ止めライナーの大径部に嵌合してこれを覆うことができるカップ状で、中心軸に沿って振れ止めライナーの連絡孔に遊嵌できる支持筒を形成し、一方、この支持筒の円周方向における複数箇所において、母線方向に沿うスリットにより支持筒を分割して複数の分割支持片を設け、各分割支持片の自由端内側に係止爪を形成したサムターン座と、上記支持筒の内筒部に回動可能に嵌合できる軸部と摘みとを一体的に結合し、分割支持片の係止爪と整合する位置に環状の係合溝を形成したサムターン軸とを有し、振れ止めライナーの大径部外周面、及び、振れ止めライナーに接合するサムターン座環堤部の内周面の何れか一方の複数箇所に係合凹部を、他方に係合凸部を夫々形成したことを特徴とするサムターンの構造。
【発明の詳細な説明】
【技術分野】
【０００１】
この発明は、サムターンの構造に係り、特に、扉への装着が決めて簡単であるサムターンの構造に関する。
【背景技術】
【０００２】
サムターンは、例えば後記特許文献１に記載するように、通常、摘み及びサムターン軸を一体に結合したものと、サムターン軸を回動可能に保持する筒部、及び、この筒部を扉内面に固定するフランジ部とを有するサムターン座とを有してなる。
【０００３】
そして、サムターンは、サムターン軸をサムターン座の筒部に回動可能に嵌装し、抜け止めを施した後、室内側からサムターン座のフランジ部、扉を貫通して先端が室外側のシリンダブロックに螺合する取付ねじにより、扉の内面に装着される。
【０００４】
なお、一部のサムターンは、室内側に露出する取付ねじのねじ頭を隠すため、例えば特許文献２に記載されている発明のように、カップ状のねじ隠しをサムターン座に重合するように、かつ、サムターン軸の抜け止めを兼ねる係止爪により装着するようにしている。
【特許文献１】特開２００３−２２１９５３公報
【特許文献２】特開２０００−０４５５８４公報
【発明の開示】
【発明が解決しようとする課題】
【０００５】
上記した従来のサムターンは、ねじ隠しの有る無しに拘らずサムターン軸の抜け止めは必要であり、通常、この抜け止めは、サムターン軸をサムターン座の筒部に嵌装後例えばＣ−リング等の止め輪をサムターン軸に嵌着することにより行われ、その後サムターン座を扉内面に取り付けるので、扉への装着が必ずしも容易ではない。
【０００６】
また、ねじ隠しを有するサムターンは、その分構造が複雑になるので、扉への装着作業が更に複雑になりやすい、等未だ改良の余地がある。
【０００７】
そこで、この発明は、取付ねじのねじ隠し機能を備えながら、扉への装着が極めて容易であるサムターンを提供することを目的としている。
【課題を解決するための手段】
【０００８】
上記の目的を達成するため、請求項１に記載の発明は、扉内面に開口したサムターン開口を挿通できる小径部を有する段付の厚肉円盤状で、中心軸に沿って連絡孔を開口させた振れ止めライナーと、この振れ止めライナー及び錠箱を厚さ方向に貫通し、先端をシリンダブロックに螺合させることにより、振れ止めライナーを扉内面に呼び付けるように固定する複数の取付ねじと、扉内面に突出する振れ止めライナーの大径部に嵌合してこれを覆うことができるカップ状で、中心軸に沿って振れ止めライナーの連絡孔に遊嵌できる支持筒を形成し、一方、この支持筒の円周方向における複数箇所において、母線方向に沿うスリットにより支持筒を分割して複数の分割支持片を設け、各分割支持片の自由端内側に係止爪を形成したサムターン座と、上記支持筒の内筒部に回動可能に嵌合できる軸部と摘みとを一体的に結合し、分割支持片の係止爪と整合する位置に環状の係合溝を形成したサムターン軸とを有し、振れ止めライナーの大径部外周面、及び、振れ止めライナーに接合するサムターン座環堤部の内周面の何れか一方の複数箇所に係合凹部を、他方に係合凸部を夫々形成したことを特徴とする。
【発明の効果】
【０００９】
上記のように構成された請求項１に記載の発明によるサムターンは、サムターン軸をサムターン座の支持筒に挿入すると、各分割支持片が弾性変形しつつ拡開してその挿入を可能にし、係止爪とサムターン軸の係合溝とが整合するに致り、各係止爪が自動的に係合溝と係合するので、サムターン軸のサムターン座への装着と抜け止めとを一動作で施すことができる。
【００１０】
また、サムターン軸を装着したサムターン座を、係合凸部と係合凹部との角度位置を合わせて振れ止めライナーに押し付けるだけでサムターン座の振れ止めライナーへの装着と抜け止めとを一動作で施すことができる。
【００１１】
すなわち、サムターン軸をサムターン座に挿入し、このサムターン座を振れ止めライナーに被せるように押し付けるだけでサムターンを扉内面に装着でき、装着作業が非常に簡単にかつ容易になる。
【発明を実施するための最良の形態】
【００１２】
サムターン座に支持筒を一体に形成すると共に、これを分割して弾性変形が容易な分割支持片を形成して各分割支持片の自由端内側に係止爪を突設し、これに対応してサムターン軸に係止溝を形成し、一方、扉内面に突出した振れ止めライナーの大径部外周面、及び、カップ状のサムターン座環堤部の内周面の何れか一方に係合凹部を、他方に係合凸部を夫々形成し、サムターン軸をサムターン座に装着し、これを振れ止めライナーに押し付けるだけでサムターンを扉内面に装着できるようにした。
【実施例１】
【００１３】
以下、この発明の実施例を図面を参照して説明する。
図１において符号１は振れ止めライナーを示し、図示の実施例における振れ止めライナー１は単一の部品ではなく、例えば合成樹脂製のライナーブロック２と、金属板を塑性加工により成形したライナーカバー３よりなる。
【００１４】
上記ライナーブロック２は、図１及び図２に示すように、扉４の内面板５に開口した付番しないサムターン開口を挿通できる小径部２ｂ（図１参照）を有する段２ａ（図２参照）付の厚肉円盤状で、中心軸に沿って段付の連絡孔６が開口している。
【００１５】
また、図２に示すように、ライナーブロック２にはこれを厚さ方向に貫通するように４個のねじ穴７、７が形成されると共に、その裏面側に４ヵ所の断面略扇形の肉盗み孔８、８が形成されている。
【００１６】
上記４個のねじ穴７、７の内実際に使用されるのは中心軸に関し対称的に配置された２個のねじ穴（図３参照）であるが、このように余計なねじ穴７、７及び肉盗み孔８、８を形成するのは、材料を節約し、また、剛性を必要な値以上に保ったままライナーブロック２の軽量化を図るためである。
【００１７】
一方、上記ライナーカバー３は、図１及び図３に示すように、全体の形状が浅いカップ状で、そのカップの内径はライナーブロック２の大径部２ｃ（図１参照）に隙間なく嵌着できるように設定されている。
【００１８】
また、ライナーカバーの中央には、ライナーブロックの連絡孔６に入り込むことができる態様で短筒状の補強体９が一体に突設されている。
【００１９】
この補強体９は、後述するサムターン座の支持筒を外側から桶の箍（たが）のように包囲し、その剛性を向上させるものである。
【００２０】
更にまた、図３に示すように、ライナーカバー３の裏面側の開口端縁の複数箇所（図示の実施例では４ヵ所）には例えば矩形の切欠１１、１１が形成されている。
【００２１】
この切欠１１は、図１に示すようにライナーカバー３をライナーブロック２に嵌着したとき、これらが構成する振れ止めライナーの大径部２ｃの外周面に係合凹部を形成する。
【００２２】
なお、図示の実施例のように振れ止めライナーを単一の部品とせず、ライナーブロック２とライナーカバー３とに分割したのは、係合凹部を保持する材料を金属としてその強度を向上させるためである。
【００２３】
上記のように構成された振れ止めライナー１は、図１及び図６に示すように、左右一対（図１では一方の取付ねじを上方に描いている）の取付ねじ１２、１２により、扉４の内面に呼び付けられるようにして固定されている。
【００２４】
すなわち、取付ねじ１２、１２は夫々ライナーカバー３、ライナーブロック２及び錠箱１３を貫通して、その先端が扉外面の図示しないシリンダブロックに螺合している。
【００２５】
一方、上記のようにして扉内面側に突出するように固定された振れ止めライナー１の大径部２ｃには、これを覆うようにサムターン座１４が装着されている。
【００２６】
このサムターン座１４は、図４及び図５に示すように、振れ止めライナーの大径部に隙間なく嵌合してこれ及び取付ねじを覆うことができるカップ状で、その開口端縁側（裏面側）には、中心軸に沿って振れ止めライナーの連絡孔に遊嵌できる支持筒１５が形成されている。
【００２７】
この支持筒１５は、図４及び図５に示すように、その円周方向における複数箇所（図示の実施例では４ヵ所）において、母線方向に沿うスリット１６により４個の分割支持片１７、１７に分割されている。
【００２８】
このように支持筒１５を分割支持片１７、１７に分割した理由は、各分割支持片１７の弾性変形により支持筒１５の開口端部が外側に拡開して、後述するサムターン軸の挿入を可能にするためである。
【００２９】
そして、各分割支持片１７の自由端内側には、図４及び図５に示すように、係止爪１８が突設されている。
【００３０】
これに対応して、図１に示すように、摘み１９を一体的に結合したサムターン軸２１には係止溝２２が形成されている。
【００３１】
この係止溝２２のサムターン軸２１の長さ方向における位置は、図１に示すように、サムターン軸２１をサムターン座１４の外側から一杯に、すなわち設計値量挿入した状態において、上記係止爪１８と整合する位置に定める。
【００３２】
また、図４及び図５に示すように、サムターン座１４の開口端縁部の複数箇所（図示の実施例では４ヵ所）には係合凸部２３が突設されている。
【００３３】
各係合凸部２３は、サムターン座１４を振れ止めライナーの大径部に嵌着したとき、その外周面に形成された前記切欠１１（係合凹部）、１１の内対応するものと係合する（図１参照）。
【００３４】
なお、図４において符号２４はサムターン座の剛性を増大させるための低いリブを、符号２５はワッシャーを夫々示す。
【００３５】
上記のように構成されたこの発明の一実施例によるサムターンは、先ずサムターン座の外側からサムターン軸２１を支持筒１５内に挿入する。
【００３６】
すると、サムターン軸２１の先端の傾斜部が係止爪１８に当接し、これらの間に生じる楔作用により、前記したように、分割支持片１７、１７が拡開する。
【００３７】
更にサムターン軸を扉側に押込むと、係止爪１８がサムターン軸の係止溝２２に落込み、このようにしてサムターン軸の抜け止めが施される（図１参照）。
【００３８】
次いで、サムターン軸を装着したサムターン座１４を振れ止めライナー１に被せ、前者の係合凸部２３とライナーカバー３の切欠１１との角度位置を合せてからサムターン座を扉側に押し付ける。
【００３９】
なお、上記サムターン座１４と振れ止めライナー１との角度位置合せは、錠前の錠止機構が解錠位置にあるとき、通常、図６に示すように、サムターンの摘み１９が垂直になるようにする。
【００４０】
すると、サムターン座１４の外周環堤部及び係合凸部２３、２３の弾性変形により係合凸部２３がライナーカバー３の外周面に跨がり、サムターン座１４が更に扉４に近接して係合凸部２３が切欠１１との整合するに致り、係合凸部２３が復元して切欠１１（係合凹部）に係合する（落込む）。
【００４１】
このようにしてサムターン座１４の装着及び抜け止めが施される。なお、図示の実施例では、図４に示すように、サムターン座の環堤部開口端縁に４個の第２切欠２６、２６が形成されており、この切欠に例えばドライバーの先を入れてこじることにより、サムターン座１４を取り外すことができる。
【実施例２】
【００４２】
なお、この発明は図示の実施例に限定されることなく、種々に変形して実施することができる。例えば、ライナーカバー３の外側環堤部の複数箇所を外側に切り起こして係合凸部とし、これに対応してサムターン座の環堤部内周面に係合凹部を形成してもよい。
【図面の簡単な説明】
【００４３】
【図１】この発明の一実施例によるサムターンの断面図。
【図２】ライナーブロックの裏面図。
【図３】ライナーカバーの裏面図。
【図４】サムターン座の裏面図。
【図５】サムターン座の断面図。
【図６】この発明の一実施例によるサムターンの室内側における正面図。
【符号の説明】
【００４４】
１  振れ止めライナー
２  ライナーブロック
３  ライナーカバー
４  扉
６  連絡孔
９  補強筒
１１  切欠（係合凹部）
１２  取付ねじ
１３  錠箱
１４  サムターン座
１５  支持筒
１６  スリット
１７  分割支持片
１８  係止爪
１９  摘み
２１  サムターン軸
２２  係止溝
２３係合凹部
【図１】
2006009306.tif 000003
【図２】
2006009306.tif 000004
【図３】
2006009306.tif 000005
【図４】
2006009306.tif 000006
【図５】
2006009306.tif 000007
【図６】
2006009306.tif 000008